(57)【要約】  腹部運動を行うための装置であって、装置の操作のために、安定した基板を提供するための枠（１０）と、使用者が座るための座席（１４）と、装置の操作のために、抵抗レベルを調整するための抵抗調整手段（２０）と、荷重を支持し、回転動作を提供するための連結機構（２２）と、を備え、抵抗調整手段（２０）は、枠（１０）の中心点に位置する連結機構（２２）の動作に抵抗するように操作可能であり、枠（１０）の中心点に位置する連結機構（２２）に接続されるアーム（１６）は、連結機構（２２）によって、枠（１０）の中心点で回転可能であり、座席（１４）は、アーム（１６）に直線的に接続され、アーム（１６）の周りを直線的に横断可能であり、座席（１４）は、アーム（１６）にさらに回転可能に接続されることを特徴とする、装置。
2017528297.tif 000002
【特許請求の範囲】
【請求項１】
腹部運動を行うための装置であって、
前記装置の操作のために、安定した基板を提供するための枠（１０）と、
使用者が座るための座席（１４）と、
前記装置の操作のために、抵抗レベルを調整するための抵抗調整手段（２０）と、
荷重を支持し、回転動作を提供するための連結機構（２２）と、を備え、
前記抵抗調整手段（２０）は、前記枠（１０）の中心点に位置する前記連結機構（２２）の動作に抵抗するように操作可能であり、
ｉ）前記枠（１０）の中心点に位置する前記連結機構（２２）に接続されるアーム（１６）は、前記連結機構（２２）によって、前記枠（１０）の中心点で回転可能であり、
ｉｉ）前記座席（１４）は、前記アーム（１６）に直線的に接続され、前記アーム（１６）の周りを直線的に横断可能であり、前記座席（１４）は、前記アーム（１６）にさらに回転可能に接続されることを特徴とする、装置。
【請求項２】
前記アーム（１６）は、前記アーム（１６）の終端で前記連結機構（２２）に接続される、請求項１に記載の装置。
【請求項３】
前記抵抗調整手段（２０）は、抵抗調整手段（２０）と連結機構（２２）との間の機械的摩擦の形で抵抗を生成する、請求項１に記載の装置。
【請求項４】
前記抵抗調整手段（２０）は、
ｉ）レバー（２０ａ）と、
ｉｉ）ブレーキケーブル（２０ｂ）と、
ｉｉｉ）ブレーキパッド（２０ｃ）と、を備え、
前記レバー（２０ａ）を握ることは、前記ブレーキケーブル（２０ｂ）をピンと張り、これは、前記連結機構（２２）の周りで前記ブレーキパッド（２０ｃ）を締め、一方で、前記レバー（２０ａ）を解放することは、前記ブレーキケーブル（２０ｂ）をたるませ、これは、前記連結機構（２２）の周りの前記ブレーキパッド（２０ｃ）を緩める、請求項１に記載の装置。
【請求項５】
前記座席（１４）は、ローラーブラケット（１４ａ）を介して、前記アーム（１６）に接続され、前記ローラーブラケット（１４ａ）に接続されるローラー（１４ｄ）によって、前記アーム（１６）の周りを直線的に横断可能であり、前記ローラー（１４ｄ）は、前記アーム（１６）上に形成される溝（１６ｂ）内を回転する、請求項１に記載の装置。
【請求項６】
前記座席は、前記ローラーブラケット（１４ａ）に取り付けられる座席連結機構（１４ｃ）によって、それ自体の垂直軸の周りを前記アーム（１６）において回転可能である、請求項５に記載の装置。
【請求項７】
前記座席（１４）は、滑り止め材料で作製される、請求項１に記載の装置。
【請求項８】
滑り止め材料は、ゴム、シリコーン、およびポリウレタン、またはそれらの組み合わせから成る群から選択される、請求項７に記載の装置。
【請求項９】
前記装置は、前記装置の操作中に使用者が保持するためのハンドル（１２）をさらに備える、請求項１に記載の装置。
【請求項１０】
前記ハンドル（１２）は、外側に拡張可能かつ格納可能である、請求項９に記載の装置。
【請求項１１】
前記抵抗調整手段（２０）は、前記ハンドル（１２）に接続される、請求項３および９のいずれか１つに記載の装置。
【発明の詳細な説明】
【技術分野】
【０００１】
本発明は、身体運動のための装置に関する。より具体的には、本発明は、腹部運動を行うための装置に関する。
【背景技術】
【０００２】
腹部引き締めは、強度および美的外観のために、ヒトの腹部領域に位置する筋肉を訓練するために行われる運動である。腹部引き締めを行うために、人は、両膝を立て、下向きに曲げ、平らな表面に対して足を押し当て、また、横向きに伸ばし、両肘を曲げ、頭の下に置いた両腕の上に頭を乗せた状態で、うつぶせに寝る。その後、人は、腹部を収縮させ、同時に上背部を上げ、腹部を曲げながら、胸部を膝に近づける。その後、人は、背中を平らな表面に下ろし、望ましい反復回数まで動作を反復する。この挙動は、腹筋を伸縮させ、伸縮の反復は、筋肉の強度を向上させ、体内に蓄積されるカロリーを消費する。
【０００３】
従来の腹部引き締め運動は、そのような運動を行う人を、ある程度の損傷の危険性および姿勢に関連する問題にさらす。引く挙動は、下背部および頸部に過度の負担をかけ、これは、損傷につながる可能性がある。酷使し、締まった腹筋は、胸郭の拡大を制限する可能性があり、これは、適切な呼吸を抑制する。さらに、過度に締まった腹筋を有することは、姿勢の悪さをもたらし得、それによって、腹筋は、恥骨に向けて胸骨を引っ張り、内蔵を圧迫し、これは、頭および肩が前方に突き出た状態の、姿勢の歪みを生じさせる。経時的に、この姿勢の悪さは、強固になり得る。さらに、尻から腹部へ延びる股関節屈筋が、主に動作に使用され、腹部の全長にわたる腹直筋または他の腹筋群は使用されないため、運動は効率的ではない。
【０００４】
腹部運動機械は、市場において一般的であり、これらの機械は、使用者がより効率的かつ安全な様式で運動を行えるように、腹部引き締めを行うことを支援する。
【０００５】
米国特許第６，１８６，９２６（Ｂ１）号は、枠、枠に搭載される座席、座席の後方で枠に取り付けられる背もたれ、腕および頭支持部、ハンドル、ならびに枢動可能に相互接続される複数の移行部材を備える、着座式腹部運動機械を開示する。使用者は、提供された座席に座り、背もたれに寄り掛かかり、一方で、頭上に位置するハンドルを下向きに引いて、腹部運動を行う。複数の相互接続された移行部材は、腹部運動を行うための全可動域を可能にするように機能する。
【０００６】
米国特許第５，５７７，９８７号は、頭および腕支持部、ハンドル、ならびに腹部運動中にデバイスが前後に枢動するための揺り椅子を有する特異な枠構造である、腹部運動デバイスを開示する。デバイスは、地面に置かれ、使用者は、表面に横になりながら、頭および腕を支持部に乗せ、デバイスは、使用者が運動を行っている間に、使用者の頭および腕を支持することによって、腹部運動を支援する。
【０００７】
米国特許出願第２０１２／０１００９７３（Ａ１）号は、レールを有する腹部運動デバイスを開示し、レール上で、緩衝材が滑走および回転し、それによって、さらなる回転の動作が与えられ、それによって、使用者は、一方の側から別の側に滑走して、腹部運動を行う。
【０００８】
先行技術のデバイスは、腹部引き締めを行うことのみを支援し、これは、上記の一連の問題を完全に軽減しない。さらに、フィットネスの専門家は、上腹部および下腹部、下背部筋肉、および骨盤筋を含む体幹領域は、均衡のとれた強度および機能性のために運動されるべきであることを勧めている。均衡のとれた体幹運動をすることは、良好な姿勢を促進し、損傷を低減させ、および重量挙げ等の他の運動の有効性を向上させる。
【０００９】
したがって、使用者が安全に腹部運動を行い、運動中に体幹筋肉全体に取り組むことを可能にするデバイスが必要とされている。
【先行技術文献】
【特許文献】
【００１０】
【特許文献１】米国特許第６，１８６，９２６（Ｂ１）号
【特許文献２】米国特許第５，５７７，９８７号
【特許文献３】米国特許出願第２０１２／０１００９７３（Ａ１）号
【発明の概要】
【課題を解決するための手段】
【００１１】
本発明は、腹部運動を行うための装置に関し、本装置は、本装置の操作のために、安定した基板を提供するための枠と、使用者が座るための座席と、本装置の操作のために、抵抗レベルを調整するための抵抗調整手段と、荷重を支持し、回転動作を提供するための連結機構と、を備え、抵抗調整手段は、枠の中心点に位置する連結機構の動作に抵抗するように操作可能であり、枠の中心点に位置する連結機構に接続されるアームは、連結機構によって、枠の中心点で回転可能であり、座席は、アームに直線的に接続され、アームの周りを直線的に横断可能であり、座席は、アームにさらに回転可能に接続されることを特徴とする。
図面は、本明細書の一部を構成し、種々の形で実施され得る本発明の例示的な、または好ましい実施形態を含む。しかしながら、開示された好ましい実施形態は、単に本発明の例示であることが理解されるべきである。したがって、本明細書に開示される図面は、限定的であると解釈されるべきではないが、単に特許請求の範囲の基礎として、かつ本発明の当業者に教示するための基礎として解釈されるべきである。
【図面の簡単な説明】
【００１２】
【図１】図１は、本発明の好ましい実施形態である腹部運動機械を示す。
【図２ａ】図２ａは、図１の腹部運動機械の分解図を示す。
【図２ｂ】図２ｂは、図２ａに示される座席の拡大分解図を示す。
【図２ｃ】図２ｃは、図２ａに示されるアームおよび連結機構の拡大分解図を示す。
【図２ｄ】図２ｄは、図２ａに示される抵抗調整手段の拡大分解図を示す。
【図２ｅ】図２ｅは、図２ａに示される枠および一対のハンドルの拡大分解図を示す。
【図２ｆ】図２ｆは、座席連結機構に接続される座席の断面図を示す。
【図２ｇ】図２ｇは、中心軸に接続される連結機構の断面図を示す。
【図３】図３は、座席およびアームが除去された状態の図１の腹部運動機械を示す。
【図４ａ】図４ａは、座席およびアームの上面および底面等角図を示す。
【図４ｂ】図４ｂは、座席およびアームの上面および底面等角図を示す。
【図５】図５は、図１の腹部運動機械を操作する人を示す。
【発明を実施するための形態】
【００１３】
本発明の好ましい実施形態の詳細な説明が、本明細書に開示される。しかしながら、種々の形で実施され得る実施形態は、単に本発明の例示であることが理解されるべきである。したがって、本明細書に開示される詳細は、限定的であると解釈されるべきではなく、単に特許請求の範囲の基礎として、かつ本発明の当業者に教示するための基礎として解釈されるべきである。本明細書で使用される数値データまたは範囲は、限定的であると解釈されるべきではない。
【００１４】
図１ａは、本発明の好ましい実施形態を示し、腹部運動機械である装置は、枠（１０）、ハンドル（１２）、座席（１４）、アーム（１６）、円形レール（１８）、および抵抗調整手段（２０）を備える。枠（１０）は、全てのコンポーネントを収容し、本装置の操作のために、安定した基板を提供する。アーム（１６）は、連結機構（２２）を介して、枠（１０）の中心点に接続される。アーム（１６）は、枠（１０）の中心点の周りを回転し、アーム（１６）の外端は、円形レール（１８）上を走行するローラー（後の図面に図示）を有する。ハンドル（１２）は、使用者が、本装置を操作している間に、支持のためにそれらを保持することを可能にし、使用者のサイズに適応させるために横向きに拡張可能であり、より大きい体を持つ使用者は、より好都合な把持のためにハンドル（１２）を押し、一方で、より小さい体を持つ使用者は、ハンドル（１２）を引いて、より好都合な把持を達成する。使用者が、抵抗調整手段（２０）を操作することによって、望ましい量の抵抗を調整するために、ハンドル（１２）のうちの１つに抵抗調整手段（２０）が提供される。抵抗調整手段（２０）は、ハンドル（１２）に取り付けられることなく操作可能であると理解される。ゴム、シリコーン、およびポリウレタン、またはそれらの組み合わせで作製される滑り止め足部カバー（２６）が提供されて、装置の足部（２４）と地面との間の摩擦を増加させ、本装置が、本装置の操作中に滑走すること、または動き回ることを防止する。本発明の範囲から逸脱することなく、足部（２４）の数における任意の変動が可能であり得ること、または本装置の枠（１０）が、いかなる足部も伴わずに、単一の固体基板によって地面に係合することが想像される。
【００１５】
図２ａは、本発明の好ましい実施形態の分解図を示し、一方で、図２ｂは、座席の拡大分解図を示し、図２ｃは、アームの拡大分解図を示し、図２ｄは、抵抗調整手段の拡大分解図を示し、一方で、図２ｅは、枠およびハンドルの拡大分解図を示す。
【００１６】
図２ｂおよび２ｃをさらに参照して、座席アセンブリは、座席（１４）、座席連結機構（１４ｃ）に接続される軸（１４ｂ）、ならびに軸（１４ｂ）および座席連結機構（１４ｃ）に接続されるローラー（１４ｄ）を有するローラーブラケット（１４ａ）を備える。ボルト（２８）は、軸（１４ｂ）を座席（１４）に固定する。座席連結機構（１４ｃ）は、座席（１４）が軸（１４ｂ）で回転することを可能にし、一方で、ローラー（１４ｄ）は、座席（１４）が、直線方向に自由にロールすることを可能にする。座席連結機構（１４ｃ）内の種々のコンポーネントは、図２ｆでさらに説明される。
【００１７】
座席（１４）は、アーム（１６）に直線的に接続され、これは、アーム（１６）上で直線的に横断可能である。さらに、座席（１４）はまた、座席連結機構（１４ｃ）によって、アーム（１６）に沿っていずれかの点でそれ自体の垂直軸の周りを回転可能である。アーム（１６）はまた、連結機構（２２）にも接続され、連結機構（２２）は、枠（１０）の中心点に位置する中心軸（３０）に接続されて、アーム（１６）が、枠（１０）の中心点の周りを回転することを可能にする。ローラー（１６ａ）は、アーム（１６）の底部に位置し、ローラーは、円形レール（１８）上を走行する。ローラー（１６ａ）は、本運動装置の操作中に、連結機構（２２）と共に使用者の荷重を支持することに役立つように機能する。これは、アーム（１６）が、荷重時にたわむのを防止するためである。
【００１８】
図２ｄをさらに参照して、抵抗調整手段（２０）は、レバー（２０ａ）、ブレーキケーブル（２０ｂ）、およびブレーキパッド（２０ｃ）を備える。レバー（２０ａ）およびブレーキパッド（２０ｃ）は、ブレーキケーブル（２０ｂ）を介して接続され、ブレーキパッド（２０ｃ）は、連結機構を取り囲み、一方で、レバー（２０ａ）は、片手で自由に保持され得るか、または、ハンドルに取り付けられ得る。好ましい実施形態において、抵抗調整手段（２０）は、ハンドルに取り付けられる。レバー（２０ａ）は、ブレーキパッド（２０ｃ）によって、連結機構に対して制動力を適用するように操作可能であるか、またはレバー（２０ａ）に及ぼされる力に基づいて連結機構を解放するように操作可能である。
【００１９】
図２ｅをさらに参照して、ハンドル（１２）は、ハンドル（１２）が外側に拡張され得、かつスロット（３２）内に格納され得るように、枠（１０）上に形成されるスロット（３２）内に収まるように構成される。この実施形態において、ハンドル（１２）は、本装置を、保管しやすくするために、小型の形に分解することを可能にするように着脱可能である。代替的に、ハンドル（１２）は、折り畳み可能であり、ラッチ、ネジ、またはボルトによって位置に組み込まれる。
【００２０】
好ましい実施形態における枠（１０）は、形が矩形であるが、一方で、より軽い重量でありながら、同様の程度の安定性および強剛性を提供するために、最小の枠組みの枠（図示せず）が使用され得る。
【００２１】
図２ｆは、座席連結機構（１４ｃ）に接続される座席（１４）の断面図を示す。ボルト（２８）は、軸（１４ｂ）が突出する枠に座席（１４）を留める。軸（１４ｂ）は、座席（１４）の下に位置付けられ、下向きに突出し、軸（１４ｂ）は、座席連結機構（１４ｃ）に接触する。座席連結機構（１４ｃ）には、軸（１４ｂ）上に形成される溝（１４ｈ）の周りにクランプされるロックリング（１４ｇ）によって、軸（１４ｂ）に固定される玉軸受（３４）が含まれる。ロックリング（１４ｇ）は、玉軸受（３４）を適所に保持して、玉軸受（３４）が、本装置の操作中に軸（１４ｂ）に沿って垂直に移動することを防止する。さらに、玉軸受（３４）は、座席連結機構（１４ｃ）を覆うカバー（１４ｅ）によって、その位置に固定される。座金（１４ｆ）は、カバー（１４ｅ）と玉軸受（３４）との間の空間を埋める。
【００２２】
図２ｇは、中心軸基板（３０ａ）から上向きに突出する中心軸（３０）の断面図を示す。連結機構（２２）は、連結機構（２２）内に含まれる玉軸受（３４）を固定するナット（２２ｂ）によって、中心軸（３０）に回転可能に固定される。中心軸（３０）は、玉軸受（３４）の下のより広い直径に向かって先細になっていることがわかり、この先細りによって、玉軸受（３４）が中心軸（３０）に滑り落ちることが防止される。中心軸（３０）の下端に、複数の座金（２２ｃ）が置かれて、連結機構（２２）を支持し、連結機構（２２）が回転しながら何らかの方向に傾くことを防止する。カバー（２２ａ）は、連結機構（２２）を封止して、連結機構（２２）内への異物の侵入を防止する。
【００２３】
玉軸受（３４）は、荷重を支持し、連結機構（２２）および座席連結機構（１４ｃ）における回転を促進するための好ましい手段として使用されるが、しかしながら、荷重を支持し、回転を促進する用途に適したスイベル連結部または玉連結部等の当業者には既知の他の種類の回転連結部も想定される。
【００２４】
図３は、連結機構（２２）および抵抗調整手段（２０）を露出するように、座席およびアームが除去された状態の本装置を示す。連結機構（２２）は、中心軸（図示せず）の周りを自由に回転し、連結機構（２２）に対して制動力を適用することは、連結機構（２２）の動作を遅延させ、これは、アーム（この図には図示せず）の動作を遅延させる。レバー（２０ａ）を握る力が及ぼされないとき、ブレーキケーブル（２０ｂ）はたるみ、ブレーキパッド（２０ｃ）によって、連結機構（２２）に作用する制動力は存在しない。レバー（２０ａ）を握ることは、ブレーキケーブル（２０ｂ）をピンと張らせ、ブレーキパッド（２０ｃ）の両端を共に引っ張る。これは、連結機構（２２）の周りでブレーキパッド（２０ｃ）を締め、連結機構（２２）に対して制動力を適用し、したがって、機械的摩擦を生じさせ、連結機構（２２）の動作を遅延させる。これは、運動の難しさを増加させるために、本装置を使用して運動する使用者に対して抵抗を生じさせる。レバー（２０ａ）を握るより大きい力が使用者によって適用されるにつれて、結果的に、連結機構（２２）に対してより大きい制動力が適用され、これは、抵抗を増加させ、したがって、運動がより困難となる。使用者は、望ましいレベルの難しさを達成するのに必要な力を自由に適用して、運動を行う。抵抗を増加または減少させるために、繰り返しダイヤルをひねる必要があるダイヤル調整機構等の他の種類の機構と比べて、この抵抗を提供する手段は、使用者が、レバー（２０ａ）を握るか、または解放することによって、本装置上で行われる運動の抵抗を瞬時に増加または減少させ得るため、好ましい。
【００２５】
抵抗を提供する他の手段は、ダイヤル調整機構（図示せず）と共にブレーキを使用することを含み、ブレーキは、ダイヤルを回すことによって、連結機構に近づくか、または連結機構から離れる。ダイヤルを回して、連結機構の周りでブレーキを締めることは、活動の抵抗を増加させ、一方で、ダイヤルを回して、連結機構の周りでブレーキを緩めることは、活動の抵抗を減少させる。
【００２６】
抵抗を提供するさらに別の手段は、ダイヤル調整機構を使用して、連結機構に磁石を近づけるか、または連結機構から離すことである（図示せず）。磁石を連結機構に近づけることは、磁石と連結機構との間に抵抗性磁力を生じさせ、これは、連結機構に物理的に接触することなく、連結機構の動作に抵抗する。連結機構から磁石を離すことは、抵抗性磁力を低下させる。抵抗を提供するさらに他の手段は、本発明の範囲から逸脱することなく使用され得ることが想定される。
【００２７】
図４ａおよび図４ｂは、ローラーブラケット（１４ａ）を介してアーム（１６）に接続される座席（１４）の上面等角図および底面等角図を示す。座席（１４）は、アーム（１６）の側面に形成される溝（１６ｂ）内にセットされるローラー（１４ｄ）によって、アーム（１６）上で直線的に横断可能である。ローラー（１４ｄ）は、アーム（１６）の側面の溝（１６ｂ）内に内向きに突出するため、座席（１４）は、本装置の活発な操作中に落下しない。
【００２８】
座席（１４）は、ゴム、シリコーン、もしくはポリウレタン、またはそれらの組み合わせ等の滑り止め材料を用いて層状にされて、使用者が、本装置の操作中に座席から滑り落ちることを防止する。座席（１４）は、快適さのために、発泡体またはゴム等の緩衝材料を詰められてもよく、かつ安全ベルト等の拘束手段も備えて、使用者が本装置の操作中に座席から滑り落ちることをさらに防止し得ることが想定される。
【００２９】
図５は、本装置に着座する使用者を示す。座席（１４）は、それ自体の垂直軸の周りの回転動作（Ａ）、およびアーム（１６）の長さによって制限される、枠（１０）に向かうおよび枠（１０）から離れる直線運動（Ｂ）である、２つの異なる挙動の自由を有する。アーム（１６）は、枠（１０）の中心点の周りを回転可能である（Ｃ）。これらの動作（Ａ、Ｂ、Ｃ）の自由度を組み合わせることで、使用者は、運動のために、使用者の尻および体幹筋肉を使用して、これらの動作の自由によって制約される何らかの楕円形の挙動（Ｄ）をたどることができる。
【００３０】
腹部運動のための市販の運動機器は、典型的には、垂直軸の周りの回転、すなわち、ひねり挙動であるか、または水平軸の周りの回転、すなわち、腹部引き締め挙動のいずれかである、１つの度合いの挙動のみを中心とする。腹部の狭い領域のみが運動され、これらの挙動は、使用者の背中に過度の負担をかけ、これは損傷をもたらし得るため、これらの挙動を使用して運動を行うことは、有効ではない。動作の様々な自由を組み合わせることによって、本装置は、腹筋群だけではなく、より多くの筋肉群を運動させることを可能にする運動のために、楕円形の挙動（Ｄ）を使用者が行うことを可能にし、ひねりまたは引き締め挙動は、楕円形の挙動（Ｄ）を行うことによって排除されるため、脊椎損傷の危険性がさらに軽減される。
【００３１】
本装置を使用して運動を行うために、使用者は、提供される座席（１４）上に座り、安定性のためにハンドル（１２）を保持する。使用者の足は、外向きに広げられ、地面に対して押し当てられる。その後、使用者は、着座して、これらの筋肉群を運動させながら、尻および体幹筋肉を使用して、楕円形の挙動をたどる。抵抗調整手段（２０）を握ることか、または保持することによって、使用者は、本装置の抵抗を増加または減少させ得、したがって、運動の難しさを増加または減少させ得る。
【００３２】
本装置の好ましい実施形態の寸法は、以下のように与えられる。
ハンドルの高さ：    ３５０ｍｍ
枠の左右の幅：      ９００ｍｍ
枠の前後の奥行：    ８３０ｍｍ
アームの長さ：      ４５０ｍｍ
円形レールの半径：  ２５０ｍｍ
足の高さ：          ５０ｍｍ
【図１】
2017528297.tif 000003
【図２ａ】
2017528297.tif 000004
【図２ｂ】
2017528297.tif 000005
【図２ｃ】
2017528297.tif 000006
【図２ｄ】
2017528297.tif 000007
【図２ｅ】
2017528297.tif 000008
【図２ｆ】
2017528297.tif 000009
【図２ｇ】
2017528297.tif 000010
【図３】
2017528297.tif 000011
【図４ａ】
2017528297.tif 000012
【図４ｂ】
2017528297.tif 000013
【図５】
2017528297.tif 000014
【国際調査報告】
2017528297.tif 000015
2017528297.tif 000016